(57)【要約】【課題】火災受信機等に地図式の表示部を取り付ける作業が容易である地図式表示盤およびその製造方法を提供することを目的とするものである。【解決手段】地図式の表示部を有する火災受信機等の地図式表示盤において、地図表示するグラフィックデータからダイレクト印刷によって地図シートを作成し、また、ＬＥＤ等の表示灯を配置する表示灯取付板の加工図を出力し、この出力した加工図に基づいて、表示灯取付板を作成し、表示部を形成する地図式表示盤およびその製造方法である。【選択図】図１
2007108571.tif 000002
【特許請求の範囲】
【請求項１】
地図式の表示部を具備する表示盤の製造方法において、
地図表示されるグラフィックデータを、パソコンで編集する編集工程と；
上記グラフィックデータを、所定のシートにプリンタで印刷することによって、地図シートを作成する地図シート作成工程と；
上記グラフィックデータにおける表示灯の位置に基づいて、上記表示灯を取り付ける表示灯取付板における上記表示灯の取付用透孔の位置を示す加工図を印刷する加工図印刷工程と；
上記加工図に表示されている上記取付用透孔の位置に応じて、上記表示灯を取り付ける取付用透孔を、上記表示灯取付板に設ける加工工程と；
上記加工された表示灯取付板の前面に、透明の保護板と上記地図シートとを配置し、上記表示灯取付板に設けられている各取付用透孔に表示灯を挿入し、表示部を構成し、上記表示部を筐体に取り付ける組立工程と；
を有することを特徴とする地図式表示盤の製造方法。
【請求項２】
請求項１において、
上記地図シート作成工程における所定のシートは、透明または薄い乳白色のシートであることを特徴とする地図式表示盤の製造方法。
【請求項３】
請求項１において、
上記組立工程は、上記地図シートを上記表示灯取付板に重ね、この重ねられた上記地図シートと上記表示灯取付板とを上記筐体に取り付ける工程であることを特徴とする地図式表示盤の製造方法。
【請求項４】
地図式の表示部を有する表示盤において、
開口部を具備する筐体と；
透明の保護板と；
上記透明の保護板とともに上記開口部に配置され、地図表示されている地図シートと；
上記地図シートの背面側に配置されている表示灯取付板であって、上記地図シートにおいて表示されている表示灯の位置に対応して、表示灯を挿入する透孔を具備する表示灯取付板と；
上記表示灯取付板の透孔に挿入されている表示灯と；
を有することを特徴とする地図式表示盤。
【請求項５】
請求項４において、
上記地図シートは、地図表示されるグラフィックデータが直接印刷されているシートであることを特徴とする地図式表示盤。
【請求項６】
請求項４において、
上記表示灯取付板は、兆番を介して、上記筐体に取り付けられている板であることを特徴とする地図式表示盤。
【発明の詳細な説明】
【技術分野】
【０００１】
本発明は、地図式の表示部を有する地図式表示盤に関する。
【背景技術】
【０００２】
警報地図表示式制御機器において、盤面の開口部に設けられているアクリル板の窓板に、地図を印刷した地図シートを貼り付け、発泡性樹脂による差込部材をその背面に配置して表示灯を差し込んで配置する装置が知られている（たとえば、特許文献１参照）。
【特許文献１】特許第２９２０７５７号公報
【発明の開示】
【発明が解決しようとする課題】
【０００３】
特許文献１記載の発明では、上記差込部材を利用するので、配置に自由度ができる。しかし、特許文献１記載の発明では、背面から表示灯を押さえる押え板を必要とするので、上記押え板を設置する作業が煩雑であるという問題がある。
【０００４】
つまり、上記従来例では、火災受信機に地図式の表示部を取り付ける作業が煩雑であるという問題がある。
【０００５】
本発明は、火災受信機等として、地図式の表示部を取り付ける作業が容易である地図式表示盤を提供することを目的とするものである。
【課題を解決するための手段】
【０００６】
本発明は、地図式の表示部を有する火災受信機等の表示盤において、地図表示するグラフィックデータからダイレクト印刷によって地図シートを作成し、また、ＬＥＤを配置する表示灯取付板の加工図を出力して表示灯取付板を作成し、表示部を形成する。
【発明の効果】
【０００７】
本発明によれば、火災受信機等に地図式の表示部を取り付ける作業が容易であるという効果を奏する。
【発明を実施するための最良の形態】
【０００８】
発明を実施するための最良の形態は、以下の実施例である。
【実施例１】
【０００９】
図１は、本発明の実施例１である地図式表示部１００を有する火災受信機ＲＥ１を示す正面図である。
【００１０】
火災受信機ＲＥ１の上部に、地図式表示部１００が、また、下部に火災受信機としての表示操作部ＤＯ１が設けられている。
【００１１】
図２は、地図式表示部１００を拡大して示す正面図である。
【００１２】
図３は、地図式表示部１００の構成を概念的に示す分解斜視図である。
【００１３】
地図式表示部１００は、表示灯取付板１０と、地図シート２０と、保護用透明アクリル３０とを有する。表示灯取付板１０は、ＡＢＳ樹脂等で構成され、表示灯Ｌを取り付ける透孔Ｈが設けられている。地図シート２０は、フィルムシートに地図が印刷されているシートである。
【００１４】
図４は、実施例１における地図式表示部１００の横断面図である。
【００１５】
火災受信機ＲＥ１の筐体Ｂ１のパネルＰ１に開口部４０が設けられ、開口部４０の縁に飾り枠ＦＬ１が設けられ、開口部４０に地図式表示部１００が設けられている。この表示部は、表示灯取付板１０と地図シート２０と保護用透明アクリル３０とによって構成されている。保護用透明アクリル３０は、透明の保護板の例である。
【００１６】
具体的には、スタッド３１を介して、パネルＰ１に保護用透明アクリル３０が固定され、皿ビス１１を介して、固定枠５１に表示灯取付板１０が固定され、この表示灯取付板１０の表側に、ボタン止め１２を介して、地図シート２０が固定されている。固定枠５１は、兆番５２を介して、パネルＰ１の背面側にスイング状に移動可能に取り付けられ、兆番５２の逆側において、当接板５３にネジ止めされて固定される。この固定状態において、地図シート２０が保護用アクリル３０に対向し、表示灯取付板１０と保護用透明アクリル３０との間に、図３に示すように、地図シート２０が位置している。
【００１７】
表示灯取付板１０に、透孔Ｈと、この透孔Ｈに嵌め込まれる表示灯Ｌとが設けられている。表示灯Ｌは、ＬＥＤ、ランプ等で構成されている。この表示灯Ｌの装着時には、図示しないリード線が引き出されるので、固定枠５１は、中央が開口された板状に形成されている。
【００１８】
表示灯Ｌは、表示灯ＬＡ１〜ＬＡ７、ＬＢ１〜ＬＢ７、ＬＣ１〜ＬＣ３、ＬＤ１〜ＬＣ３を代表して記載したものであるが、上記表示灯の数は、任意である。なお、表示灯ＬＡ１〜ＬＡ７は、火災感知器に対応する表示灯であり、表示灯ＬＢ１〜ＬＢ７は、防火戸に対応する表示灯であり、表示灯ＬＣ１〜ＬＣ３は、スプリンクラーに対応する表示灯であり、表示灯ＬＤ１〜ＬＤ３は、ガスの消火設備に対応する表示灯である。これら各表示灯の色は、表示の種別に応じて選択される。
【００１９】
透孔Ｈは、透孔ＨＡ１〜ＨＡ７、ＨＢ１〜ＨＢ７、ＨＣ１〜ＨＣ３、ＨＤ１〜ＨＤ３を代表して記載したものであるが、上記透孔の数は、任意である。透孔ＨＡ１〜ＨＡ７は、表示灯ＬＡ１〜ＬＡ７のそれぞれに対応する透孔であり、ＨＢ１〜ＨＢ７は、表示灯ＬＢ１〜ＬＢ７のそれぞれに対応する透孔であり、ＨＣ１〜ＨＣ３は、表示灯ＬＣ１〜ＬＣ７のそれぞれに対応する透孔であり、ＨＤ１〜ＨＤ３は、表示灯ＬＤ１〜ＬＤ３のそれぞれに対応する透孔である。
【００２０】
表示灯取付板１０は、地図シート２０の背面側に配置され、地図シート２０において表示されている表示灯Ｌのそれぞれの位置に対応して、表示灯Ｌのそれぞれを挿入する透孔Ｈを具備し、この透孔Ｈの大きさは、表示灯Ｌとして利用するＬＥＤの大きさに合わせて形成され、表示灯取付板１０の背面側から表示灯Ｌを圧入することによって、表示灯Ｌを固定するので、表示灯Ｌは、振動等では簡単には外れない。
【００２１】
次に、実施例１の製造方法について説明する。
【００２２】
まず、地図表示されるグラフィックデータを、図示しないパソコンで編集する。そして、上記グラフィックデータを、所定のフィルムシートに、図示しないプリンタで直接印刷することによって、地図シート２０を作成する。ここで、グラフィックデータを印刷したフィルムシートをそのまま地図シートとしてもよいが、強度の点から透明な保護シートに圧着して地図シートとしてもよい。
【００２３】
図５は、実施例１で使用する表示灯取付板１０の加工図Ｆ１を示す平面図である。
【００２４】
上記グラフィックデータにおけるたとえば表示灯ＬＡ１の位置に基づいて、表示灯取付板１０における表示灯ＬＡ１の取付用透孔ＨＡ１の位置を示す加工図Ｆ１（図５）を印刷する。
【００２５】
この加工図Ｆ１を用いて表示灯取付板１０を作製するには、加工図Ｆ１を表示灯取付板１０に貼り、加工図Ｆ１に表示されている取付用透孔ＨＡ１の位置に応じて、表示灯ＬＡ１を取り付ける取付用透孔ＨＡ１を、図６に示すように、表示灯取付板１０に設ける。透孔ＨＡ２等、他の取付用透孔Ｈを、加工図Ｆ１を参照して設ける。なお、加工図Ｆ１を、表示灯取付板１０に貼り付けなくても、位置合わせして、取付用透孔ＨＡ１等を、取り付け板１０に設けるようにしてもよい。
【００２６】
なお、表示灯取付板１０とは別に、表示灯Ｌを電気的に接続し、点灯を制御する制御部として、表示操作部ＤＯ１が制御する。
【００２７】
図６は、取付用透孔が設けられた後の表示灯取付板１０を示す平面図である。
【００２８】
加工された表示灯取付板１０の前面に、地図シート２０を配置し、表示灯取付板１０に設けられている各取付用透孔ＨＡ１〜ＨＤ３のそれぞれに、表示灯ＬＡ１〜ＬＤ３を挿入し、表示部１００を構成し、固定枠５１を介して、筐体Ｂ１に表示部１００を取り付ける。このときに、兆番５２によって、固定枠５１がスイングし、開放するので、点検を含めて作業がし易い。
【００２９】
図７は、地図シート２０の具体例を示す平面図である。
【００３０】
これによって、地図式表示部１００が完成される。
【００３１】
地図シート２０の各表示灯の位置、たとえば、火災１、火災２、防火戸１、シャッタ２等は、それぞれ表示灯取付板１０における透孔ＨＡ３、ＨＡ７、ＨＢ３、ＨＢ７等に対応し、必要な色の表示灯ＬＡ３、ＬＡ７、ＬＢ３、ＬＢ７等が正確に配置される。
【００３２】
この表示灯の位置および透孔Ｈの位置は、いずれもパソコン上で同一のグラフィックデータに基づいて出力されるので、正確に表示灯Ｌを配置することができる。
【００３３】
なお、地図シート２０は、透明または薄い乳白色のシートである。また、加工された表示灯取付板１０の前面に、地図シート２０を配置し、表示灯取付板１０に設けられている取付用透孔Ｈに表示灯Ｌを挿入し、表示部を構成し、この表示部を筐体Ｂ１に取り付ける場合、地図シート２０を、表示灯取付板１０の前面に重ねて筐体Ｂ１に取り付ける。
【００３４】
上記実施例によれば、背面から表示灯を押さえる押え板を必要としないので、火災受信機ＲＥ１に地図式表示部１００を取り付ける作業が容易である。
【００３５】
なお、組立工程において、地図シート２０を表示灯取付板１０に重ね、地図シート２０の表示灯の位置と、表示灯取付板１０の表示灯Ｌとは正確に対応し、この重ねられた地図シート２０と表示灯取付板１０とを筐体Ｂ１のパネルＰ１に取り付けて地図式表示部１００となる。
【００３６】
また、表示灯取付板１０は、固定枠５１および兆番５２を介して、筐体Ｂ１に取り付けられているので、組立てや点検時の作業性が良い。
【００３７】
また、地図式の表示部が用いられる機器としては、上記実施例のような火災受信機以外に、火災表示機、総合操作盤、または連動制御盤等に適用することができる。
【図面の簡単な説明】
【００３８】
【図１】本発明の実施例１である地図式表示部１００を有する火災受信機ＲＥ１を示す正面図である。
【図２】地図式表示部１００を拡大して示す正面図である。
【図３】地図式表示部１００の構成を概念的に示す分解斜視図である。
【図４】実施例１における地図式表示部１００の横断面図である。
【図５】実施例１で使用する表示灯取付板１０の加工図Ｆ１を示す平面図である。
【図６】取付用透孔が設けられた後の表示灯取付板１０を示す平面図である。
【図７】地図シート２０の具体例を示す平面図である。
【符号の説明】
【００３９】
ＲＥ１…火災受信機、
ＤＯ１…操作表示部、
Ｂ１…筐体、
１００…地図式表示部、
１０…表示灯取付板、
２０…地図シート、
３０…保護用透明アクリル、
３１…スタッド、
４０…開口部、
Ｆ１…表示灯取付板１０の加工図、
Ｐ１…パネル、
ＦＬ１…飾り枠、
Ｈ、ＨＡ１〜ＨＡ７、ＨＢ１〜ＨＢ７、ＨＣ１〜ＨＣ３、ＨＤ１〜ＨＤ３…取付用透孔、
Ｌ、ＬＡ１〜ＬＡ７、ＬＢ１〜ＬＢ７、ＬＣ１〜ＬＣ３、ＬＤ１〜ＬＤ３…表示灯。
【図１】
2007108571.tif 000003
【図２】
2007108571.tif 000004
【図３】
2007108571.tif 000005
【図４】
2007108571.tif 000006
【図５】
2007108571.tif 000007
【図６】
2007108571.tif 000008
【図７】
2007108571.tif 000009